(57)【要約】      （修正有）【課題】スポーツウェア、カジュアルウェア、テクニカルウェアのような衣服に用いられる連結装置、およびかかる連結装置を備えた衣服を提供する。【解決手段】衣服に用いられる連結装置は、第１の連結部材を有する第１の衣服品目と、第２の連結部材を有する第２の衣服品目とを備え、第２の連結部材は、第１の連結部材と相補的であることにより、第１の衣服品目と第２の衣服品目との取り外し自在な連結を可能にし、第１および第２の連結部材は雄型／雌型スライド連結とする。【選択図】図１
0003103047.tif 000002
【実用新案登録請求の範囲】
【請求項１】
衣服製品用の連結装置であって、
第１の連結部材からなる第１の衣服品目および
第２の連結部材からなる第２の衣服品目
からなり、
前記第２の連結部材は前記第１の連結部材と相補的であることにより、前記第１の衣服品目への前記第２の衣服品目の取り外し可能な連結を可能にし、前記第１および第２の連結部材は雄型／雌型スライド連結を提供する、衣服製品用の連結装置。
【請求項２】
前記第１および第２の連結部材の一方が、縦スリットを有するスリーブ部材からなり、前記第１および第２の連結部材の他方は、前記スリーブ部材にスライド可能に連結されて、前記連結装置を一緒に取り付けるためのロッド部材からなる、請求項１に記載の衣服製品用の連結装置。
【請求項３】
前記第１および第２の連結部材の各々が、前記衣服品目と衣服製品のそれぞれの取付け部からなる、請求項１に記載の衣服製品用の連結装置。
【請求項４】
前記第１および第２の連結部材の少なくとも一方が、柔軟性のための切込みを有する、請求項１に記載の衣服製品用の連結装置。
【請求項５】
前記第１および第２の連結部材の各々が、相補的な導入部からなる、請求項１に記載の衣服製品用の連結装置。
【請求項６】
前記相補的な導入部が、円錐導入部を有する、請求項５に記載の衣服製品用の連結装置。
【請求項７】
前記第１および第２の連結部材の各々が、相補的なスナップ要素からなる、請求項１に記載の衣服製品用の連結装置。
【請求項８】
前記ロッド部材および前記スリーブ部材が実質的に円形の横断面を有する、請求項２に記載の衣服製品用の連結装置。
【請求項９】
前記ロッド部材および前記スリーブ部材が非円形の横断面を有する、請求項２に記載の衣服製品用の連結装置。
【請求項１０】
前記第１の衣服品目はジャケットであり、前記第２の衣服品目はフードである、請求項１に記載の衣服製品用の連結装置。
【請求項１１】
前記第１の衣服品目はジャケットであり、前記第２の衣服品目はポケットである、請求項１に記載の衣服製品用の連結装置。
【請求項１２】
前記第１の衣服品目はズボンであり、前記第２の衣服品目はポケットである、請求項１に記載の衣服製品用の連結装置。
【考案の詳細な説明】
【技術分野】
【０００１】
本考案は、スポーツウェア、カジュアルウェア、テクニカルウェア等のような衣服に用いられる連結装置（connecting arrangement）に関する。
【０００２】
本考案は、第1の衣服品目、すなわちフード、ポケット、ツールすなわち収納具等の付属品を、ジャケット、ズボン等のような特定製品の衣服に取り付けるために特に適している。
【背景技術】
【０００３】
ジャケット、特に冬用または防水用ジャケットは、雪、雨、および／または特に強風の到来の際等、大気条件が困難または過酷となる場合に、使用者の頭部を保護するためにフードを有する場合が多い。
【０００４】
しかしながら、大気条件がよくなると、使用者は、頭部を防護する必要性がなくなり、頭部の防護具を取り外したくなるであろう。
【０００５】
したがって、フードは取り外し自在に取り付けられることが多い。
【０００６】
一般的に用いられる解決策は、ジャケットの適当な相補的な連結要素と協働する、ボタン、スナップ、またはスライドジッパー等の連結要素をフードの後方下部に設けることである。
【０００７】
しかしながら、かかる連結は、優れた防水または防風のための連結をジャケットの前部に与えるには十分ではない。
【０００８】
実際、大気条件が過酷である場合、使用者の首周りおよび前面領域の可能な限り近くに連結があることが重要である。
【考案の開示】
【考案が解決しようとする課題】
【０００９】
したがって、たとえばベルクロ（Velcro）式取付け具のようなスナップまたはフックおよびループ取付け手段のような他の取付け手段は、フードの前部に付加されて、ジャケットの関連した襟部に取付けられる場合が多い。
【００１０】
このような連結部の美的側面を高めるため、一般的に、取付け手段を覆い隠すようにジャケットの襟部にポケットがいくつか設けられる。しかしながら、このようなポケットは、取付け手段の使用を困難にさせる可能性がある。
【課題を解決するための手段】
【００１１】
本考案は、第１の衣服品目と衣服製品または付属品との間に効率的で単純な連結装置を達成する。
【００１２】
さらに、本考案は、各種タイプの衣服に採用することができるとともに、特にフード、ポケット、付属品等の衣服品目をジャケット、ズボン等の衣服製品に取り外し自在に取り付けるために用いることができる連結装置を含む。
【００１３】
さらにまた、本考案は、美的魅力がある取り外し自在な連結装置を提供する。
【００１４】
したがって、本考案は、第１の連結部材からなる第１の衣服品目と、第２の連結部材からなる衣服製品とを備え、第２の連結部材は第１の連結部材と相補的であることにより、第１の衣服品目への衣服製品の取り外し自在な連結を可能にし、第１および第２の連結部材は雄型／雌型スライド連結を提供する、衣服製品用の連結装置を含む。
【００１５】
特定の実施形態では、連結装置は、縦スリットを有するスリーブ部材と、連結装置を一緒に取り付けるための、該スリーブ部材にスライド可能に連結されるロッド部材とを有する。
【００１６】
このような連結装置は、使用が容易であるとともに美的魅力がある。
【考案を実施するための最良の形態】
【００１７】
次に、上記に説明した本考案の包括的な特徴を、本考案の特定の実施形態を例示により示して添付の図面の参照を行う。
【００１８】
図１は、スポーツジャケット、ウインタージャケット、またはウインドブレーカ１のような衣服または衣類の第１の製品、およびジャケット１に取り外し自在に連結されるように構成されたフード１０を示している。
【００１９】
ジャケット１は、使用者の首を保護するジャケットの上端から垂直に延びた袖３および襟４を備えた胴部２を有する。
【００２０】
襟４は、フラップ８で覆い隠されるジッパー７により閉じられる縦方向の前面開き部５をジャケットと共有している。
【００２１】
襟４は、開き部５およびフラップ８の両側に、第１の連結部材１００を有する。
【００２２】
フード１０は、前面フラップ１２により下部で部分的に閉じられる前面開き部１１を有する。
【００２３】
各フラップ１２は、その内側に第２の連結部材２００を設けている。
【００２４】
第１および第２の連結部材はそれぞれ１００、２００であるがともに協働して、襟の前面部とのフードの前面フラップ１２との取り外し自在な連結を可能にする。
【００２５】
さらに、ジッパー９による連結が、フード１０とジャケット１との間の後方で、周知のやり方で提供される。
【００２６】
ジッパー９によるこのような連結は、より具体的に図５に示されている。
【００２７】
第１の連結部材１００および第２の連結部材２００は、図６〜図９に詳細に示されている。
【００２８】
第１の連結部材１００は、第２の連結部材２００の関連したロッド部材２０２を受容するために第１の連結部材１００に直接取り付けられた、縦方向の雌部受容部材すなわちスリーブ１０２を有する略平坦な矩形ベース（base）１０１を有する。
【００２９】
ベース１０１は、たとえば縫合によりジャケットの襟４に固定することができる。
【００３０】
図７Ａに示すように、スリーブ１０２は、平坦ベース１０１の対向側に縦スリット１０６を設けており、スリーブ１０２がロッド２０２に対してスライドできるようになっている。
【００３１】
スリーブ１０２の内側には、スリーブ１０２内にロッド２０２を収容することができるようにロッド２０２の直径よりもわずかに大きい直径を有する略円筒形のハウジング１０３があり、縦スリット１０６が、かかるハウジング１０３内に開口している。
【００３２】
横柔軟性のための切込み１０４を、好ましくは規則的に、スリーブ１０２の全長に沿って、あるいは少なくとも実質的にスリーブ全体に沿って設けて、所定の柔軟性がスリーブに与えられるようにする。
【００３３】
この構成の場合、スリーブ１０２は、取り付けられる襟に過度の硬直性を与えないことが確実にされる。
【００３４】
スリーブに用いられる特定の材料あるいは柔軟性の必要に応じて、かかる切込み１０４は省かれ得る。
【００３５】
特定の実施形態では、スリーブ１０２は、ＴＰＵ（熱可塑性ポリウレタン）のような材料からなり、また、限定的ではない特定の実施形態では、ロッドの硬直性よりも大きい硬直性を有する材料からなる。容易な取外しが望まれる場合に応じて、雄部および雌部の材料は、似ているまたは同一の硬直性を有し得る。
【００３６】
同じく図７に示すように、ハウジング１０３の上部は、壁１０８によって閉鎖され、ハウジングの下部は、ロッド部２０２を導入しやすい円錐台状導入部１０５を示している。
【００３７】
別の構成（図示せず）では、雌端の上部は開口し、ロッド部がその開口から上部に突出することで、２つの部片を、一方の部片が他方の部片から引き離されるのを阻止することにより固定する。
【００３８】
また、図示した実施形態のハウジング１０３の下部にわずかな窪み１０７または周溝が設けられる。
【００３９】
第２の連結部材２００は、略平坦な矩形ベース２０１およびこれに取り付けられる縦ロッド２０２も有する。
【００４０】
ベース２０１は、たとえば縫合によりフード１０のフラップ１２に固定できる。
【００４１】
前に示したように、ロッド２０２は、直径がハウジング１０３の直径よりもわずかに小さい略円筒形状を有する。
【００４２】
ロッド２０２の上端は、スリーブ１０２の関連した円錐導入部１０５内に導入しやすくするように、円錐形状２０５を有する。
【００４３】
また、突起部２０７をロッド２０２の下部に設けて、スリーブ１０２の溝１０７と協働させて、スナップ作用による連結段階の完了を示す。
【００４４】
突起部２０７および溝１０７、またはスナップ要素１０７、２０７の役割は、また、連結部材１００、２００の双方の不要な取り外れを回避することである。突起部および溝部は、組立体の他の領域に配置されてもよい。
【００４５】
特定の実施形態では、ロッド２０２はスリーブ部の材料よりも軟質の材料からなり、たとえば、あまり硬質ではないＴＰＵ（熱可塑性ポリウレタン）からなることができる。限定的ではない例によれば、雄部２０２のＴＰＵは、ショアー(Shore)Ａ７５のジュロメータ硬度を有し、雌部１０１は、ショアーＡ９０のジュロメータ硬度を有する。本考案は、種々の値の硬度および種々の材料を含む。
【００４６】
フード１０をジャケットに連結する組立て段階の各種ステップは、図２〜図４に示されている。
【００４７】
フード１０およびジャケットがジッパー９により後方で組み立てられると、ロッド部２０２はいずれも、上昇移動の際、各関連スリーブ部１０２の下部から（図２の矢印１を参照）導入され、突起部２０７のスナップ嵌めが関連溝１０７において行われたときに連結段階が完了する。
【００４８】
スリーブ１０２およびロッド２０２の位置は交換し得ることを理解されたい。
【００４９】
同様に、それらの材料も交換されまたは異なって選択され得る。
【００５０】
ロッド２０２およびスリーブ１０２はまた、矩形、正方形、三角形、または他の形状のような異なる断面形状を有していてもよい。
【００５１】
円形断面の利点は、連結部材が組み立てられると相互回転が可能になることである。しかしながら、異なる断面形状は、雄部と雌部が引き離されることを付加的に防止することができる。
【００５２】
図１０は、同様の要素が同じ参照符号によって参照される、ロッドおよびスリーブの第２の実施形態を示す。
【００５３】
この第２の実施形態と前に説明した実施形態の主な相違は、各連結部材１００、２００のそれぞれが、所定の長さｌのスリーブ部材１０２およびロッド部材２０２の部分を有し、連続したロッド部２０２およびスリーブ部１０２は、それぞれ、ロッド部およびスリーブ部の長さｌよりも長い長さＬを有する開放領域２１０、１１０によって分離される。
【００５４】
このような構成の場合、スリーブ部材内へのロッド部材の導入移動は、最初に、スリーブの関連開放領域１１０内に各ロッド部材２０２を導入するための平行移動Ｔによって、次に、スリーブ部材１０２内での各ロッド部材２０２の垂直方向のスライド移動Ｖによって行われる。
【００５５】
このような構成の場合、スペースをあまり必要としない（長さＬのみ）ため、導入がより容易である。
【００５６】
図１１は、同様の要素が同じ参照符号で示される第３の実施形態を示している。
【００５７】
図１１の実施形態は、図１に示したものと略同じである。異なる点は、フード１０に前面フラップ１２がないことである。
【００５８】
かかる実施形態では、第１の連結部材１００および第２の連結部材２００はいずれも外側から目に見える。
【００５９】
このような場合、第１の連結部材１００および第２の連結部材２００はいずれも、フードとジャケットの色が一致した色で、たとえば同色または対比色で、着色される。
【００６０】
このような場合、非常に優れた美的および／または技術的外観が達成され得る。
【００６１】
上記の考案を特定の実施形態を参照して説明してきたが、本考案の範囲は特定の実施形態に限定されないことを念頭に置くべきである。
【００６２】
たとえば、材料および締結具は、他の衣類、靴、製品、鞄等に用いることができる。上述した実施形態はまた、一実施形態のいくつかの特徴が別の実施形態の特徴とともに用いられるように改変することもできる。添付の実用新案登録請求の範囲は、本考案の真の精神および範囲内にある改変および実施形態を含むものとする。
【図面の簡単な説明】
【００６３】
【図１】本考案による連結装置を備えたジャケットおよびフードの前面斜視図である。
【図２】ジャケットおよびフード間の連結プロセスの第１のステップを示す部分前面図である。
【図３】連結プロセスの第２のステップを示す、図２と同様の図である。
【図４】連結プロセスの最終ステップを示す、図２および図３と同様の図である。
【図５】連結プロセスが一度完了した、図４の後方図である。
【図６】連結装置の雄部の立面図である。
【図６Ａ】図６の横断面図である。
【図７】連結装置の雌部の立面図である。
【図７Ａ】図７の横断面図である。
【図８】組立て後の両連結部の立面図である。
【図９】図８の詳細図である。
【図１０】第２の実施形態による雄部および雌部の立面図である。
【図１１】第３の実施形態によるジャケット／フード連結装置の前面斜視図である。
【図１】
0003103047.tif 000003
【図２】
0003103047.tif 000004
【図３】
0003103047.tif 000005
【図４】
0003103047.tif 000006
【図５】
0003103047.tif 000007
【図６】
0003103047.tif 000008
【図６Ａ】
0003103047.tif 000009
【図７】
0003103047.tif 000010
【図７Ａ】
0003103047.tif 000011
【図８】
0003103047.tif 000012
【図９】
0003103047.tif 000013
【図１０】
0003103047.tif 000014
【図１１】
0003103047.tif 000015